Podtech/llm-jp-corpus-v4-ja_patent huggingface dataset:
(57)【要約】【課題】  簡単に装着し、作業をしやすくするための、軍手を提供する。【解決手段】  軍手本体の指穴に指を装着し、ほつれがでない事で、動きやすさと、使いやすさを特徴とする軍手。【選択図】  図１
2006104637.tif 000002
【特許請求の範囲】
【請求項１】
軍手の指先をカットして、その部分がほつれがでない様にし、指の動きやすさと、使いやすさを特徴とする作業用軍手。
【発明の詳細な説明】
【技術分野】
【０００１】  本発明は、軍手を使うときに、手先を動きやすくするための、軍手に関する物である。
【背景技術】
【０００２】  従来、軍手で作業する時は、指先をカットして使っていた。
【発明の開示】
【発明が解決しようとする課題】
【０００３】    そのために、次のような問題点があった。
指先をカットしているので、ほつれがでてしまい、使い難かった。
本発明は以上の問題点を解決しようとするものである。
【課題を解決するための手段】
【０００４】  軍手本体の指先をカットしたものを装着する。以上、指の動きやすさと使いやすさを特徴とする軍手である。
【発明の効果】
【０００５】  簡単に装着する事ができ、ほつれを気にせず使えるので、作業しやすい。
【発明を実施するための最良の形態】
【０００６】  以下、本発明の実施の形態について説明する。
（イ）筒（１）の中に手を通して、指穴（２）から指を通す。
本発明は以上のような構造で、これを使用するときは、上記の軍手を手に装着する。  その結果作業がしやすい。
【図面の簡単な説明】
【０００７】
【図１】本発明の使用状態を示す正面図
【符号の説明】
【０００８】      １    筒
２    指穴
【図１】
2006104637.tif 000003
(57)【要約】【課題】  素手の場合、素足の場合、手袋を着用した場合、靴下を着用した場合でも安全に歩行、飲食等が行え、かつワンタッチで装着可能で、従来の手袋、靴下を利用する事が出来、かつ手袋、靴下のデザインを楽しむ事が出来る、すべり止めバンドを提供する。【解決手段】  一定の幅を持った、ワンタッチで手のひらまたは足の裏に装着可能な長さを持った、一定の摩擦力を確保出来る材質の、すべり止めバンドを提供する。【選択図】  図１
2006104638.tif 000002
【特許請求の範囲】
【請求項１】
足の寸法以下の幅を持ち、かつ、足の甲と裏を一周する外周寸法と同じ円周寸法を持つバンド。
【請求項２】
足の寸法以下の幅を持ち、かつ、足のと裏を一周する外周寸法以下の円周寸法を持つバンド。
【請求項３】
足の寸法以下の幅を持ち、かつ、足の甲とつま先の間の部分と足の裏を一周する外周寸法と同じ円周寸法を持つバンド。
【請求項４】
足の寸法以下の幅を持ち、かつ、足の甲とつま先の間の部分と足の裏を一周する外周寸法以下の円周寸法を持つバンド。
【請求項５】
手の長さ以下の幅を持ち、かつ、手のひらと手の甲を一周する外周寸法と同じ円周寸法を持つバンド。
【請求項６】
手の長さ以下の幅を持ち、かつ、手のひらと手の甲を一周する外周寸法以下の円周寸法を持つバンド。
【請求項７】
バンドの材質が布または紙またはゴムまたは化学繊維またはこれらの複合である請求項１または請求項２または請求項３または請求項４または請求項５または請求項６のすべり止めバンド。
【請求項８】
布または紙またはゴムまたは化学繊維またはこれら材料を複合して織りこんだ請求項１または請求項２または請求項３または請求項４または請求項５または請求項６のすべり止めバンド。
【請求項９】
布または紙またはゴムまたは化学繊維またはこれら材料を複合して織りこんだバンドと、布または紙またはゴムまたは化学繊維とを貼り合せた請求項１または請求項２または請求項３または請求項４または請求項５または請求項６のすべり止めバンド。
【発明の詳細な説明】
【技術分野】
【０００１】  本発明は、老人や幼児の歩行時、飲食時等の安全の為に利用される、すべり止めバンドに関する。
【背景技術】
【０００２】  老人や幼児は、歩行時靴下等を履いていると板の間等で滑って危険であった。また、手すりを利用して歩行する場合、手すりが滑って同じく危険な場合があった。また、飲食時、ガラスのコップを滑らせて割ってしまい、危険な場合が生じる事があった。素手、素足ではこのように滑りやすい場合があり、手袋、靴下を履いた場合でも状況は改善されない。たとえすべり止めを目的とした手袋、靴下を用意しようとしても、新たに何個か用意しなくてはならず、従来利用していた手袋、靴下が利用出来なくなる上、好みのデザインが特定されてしまう欠点があった。
【発明の開示】
【発明が解決しようとする課題】
【０００３】  本発明は、上述した欠点を解決するもので、素手の場合、素足の場合、手袋を着用した場合、靴下を着用した場合でも安全に歩行、飲食等が行え、かつワンタッチで装着可能で、従来の手袋、靴下を利用する事が出来、かつ手袋、靴下のデザインを楽しむ事が出来る、すべり止めバンドを提供することを目的とする。
【課題を解決するための手段】
【０００４】  本発明は、一定の幅を持った、ワンタッチで手のひらまたは足の裏に装着可能な長さを持った、一定の摩擦力を確保出来る材質の、すべり止めバンドを提供する。
【発明の効果】
【０００５】  以上本発明によるすべり止めバンドによれば、素手の場合、素足の場合、手袋を着用した場合、靴下を着用した場合でも安全に歩行、飲食等が行え、かつワンタッチで装着可能で、従来の手袋、靴下を利用する事が出来、かつ手袋、靴下のデザインを楽しむ事が出来る。
【発明の実施するための最良の形態】
【０００６】  本発明の実施形態について、図面を参照して説明する。
【０００７】  図１は、本発明によるすべり止めバンドを説明する図である。このすべり止めバンドを足の裏または手のひらに装着する。装着が上手くない場合、すなわち、このすべり止めバンドと靴下等が互いに滑り易い場合、すべり止めバンドを切って長方形形状と成し、すべり止めバンドの裏側部分及びすべり止めバンド装着部分に当る靴下部分に、マジック（商品名）を縫い付け、このマジックを利用してすべり止めバンドと靴下等を互いにしっかりと装着させても構わない。
【０００８】  図２は、本発明によるすべり止めバンドを足の裏に装着した状態を示す図である。この状態で歩行等を行う。
【０００９】  図３は、本発明によるすべり止めバンドを手のひらに装着した状態を示す図である。この状態で飲食等を行う。
【図面の簡単な説明】
【００１０】
【図１】本発明の実施形態を示すすべり止めバンドの外観図
【図２】本発明を足に装着した状態を示す  すべり止めバンドの外観図
【図３】本発明を手に装着した状態を示す  すべり止めバンドの外観図
【符号の説明】
【００１１】１  足
２  足の甲
３  足の裏
４  つま先
５  手
６  手のひら
７  手の甲
【図１】
2006104638.tif 000003
【図２】
2006104638.tif 000004
【図３】
2006104638.tif 000005
(57)【要約】【要  約】【課  題】    風向により発電ユニットが同一方向に何回回転しても何ら障害が起こらないようにする。【解決手段】  発電ユニット２を取り付けた旋回台３にスリップリング33を備える旋回軸32を設け、この旋回台３を支持する主塔１頂部の固定台４にこのスリップリング33に接触するブラシ41を配置し、スリップリング33を発電ユニット２に、ブラシ41を主塔側の固定配線42に接続する。【選択図】    図２
2006104969.tif 000002
【特許請求の範囲】
【請求項１】
主塔（１）の頂部に設けた固定台（４）と、この固定台（４）に対して垂直軸回りに旋回可能な旋回台（３）を有し、発電ユニット（２）をこの旋回台（３）に取り付けてなる風力発電装置において、前記固定台（４）と、旋回台（３）とのいずれか一方に表面にスリップリング（33）を備える旋回軸（32）、他方にこのスリップリング（33）に接触するブラシ（41）を設け、これらスリップリング（33）、ブラシ（41）を発電ユニット側配線（24）および主塔側の固定配線（42）にそれぞれ接続し、発電ユニット（２）の旋回位置にかかわりなく発電ユニット（２）と主塔側の固定配線（42）とが電気的に導通されるようにしたことを特徴とする風力発電装置。
【発明の詳細な説明】
【技術分野】
【０００１】
本発明は、発電ユニットが風向に応じて無制限に回転できるようにした風力発電装置に関する。
【背景技術】
【０００２】
自然現象である風力を有効利用し、無公害で電気エネルギーを得ることのできる風力発電が注目されている。
【０００３】
風力発電は、年間を通じて比較的風の強い立地を選び、高さ数十メートルの主塔を建て、その頂部に羽根、発電機、充電器塔を組み合わせたもの（以下「発電ユニット」という）を取り付け、風力で発電した電力をケーブルを介して地上で取り出すシステムである。
【０００４】
取り出す電力は直流、交流、低圧、高圧など任意であるが、例えば1400Ｖの高圧３相交流、あるいは3000Ｖの直流などである。
【０００５】
風力発電装置の一例を図３、図４により説明する。図３は風力発電装置の正面図、図４は同じく側面図で、１は主塔、11はその基部に設けられた保守・点検用のマンホール、12は主塔１の内部に設けられ、頂部に達する梯子、２は発電ユニットで21は風力により回転する羽根、23は増速機構等を介して羽根21に連結された発電機、３は主塔１の頂部に設けられる旋回台である。
【０００６】
主塔１は高さ数十メートルのものなので、製作、建設の便を図って20メートル程度に分割し、現地でこれを組み立てる。羽根21は例えば直径50メートル程度の巨大なものである。発電効率を向上させるため一般に増速機構等により羽根の回転を増速して発電機を回転させ、必要に応じて発生した電力を一時貯蔵する充電器や電圧調整機構等の機器を発電ユニット内に配置する。
【０００７】
ところで、風は常に一定の方向から吹いてくる訳ではないから、発電ユニットは風向に合わせて適宜旋回できるよう、旋回台３を介して主塔１に取り付けられるのが普通である。しかし同一方向に何回も旋回してしまうと電力を取り出すケーブルがよじれて破損等のおそれがあるので、１回転以上旋回しないようストッパを設け、場合によっては常に元の向きに戻るよう復元機構を設けるなどの対策が必要であった。
【発明の開示】
【発明が解決しようとする課題】
【０００８】
本発明は、発電ユニットがどの方向を向いていても支障なく電力を取り出すことができ、かつ同一方向に何回回転しても何ら障害が起こらないようにした風力発電装置を実現することを目的とする。
【課題を解決するための手段】
【０００９】
本発明は、主塔の頂部に設けた固定台と、この固定台に対して垂直軸回りに旋回可能な旋回台を有し、発電ユニットをこの旋回台に取り付けてなる風力発電装置において、前記固定台と、旋回台とのいずれか一方に表面にスリップリングを備える旋回軸、他方にこのスリップリングに接触するブラシを設け、これらスリップリング、ブラシを発電ユニット側配線および主塔側の固定配線にそれぞれ接続し、発電ユニットの旋回位置にかかわりなく発電ユニットと主塔側の固定配線とが電気的に導通されるようにしたことを特徴とする風力発電装置である。
【発明の効果】
【００１０】
本発明によれば、発電ユニットの向きにかかわりなく電力を正常に取り出すことができ、かつ発電ユニットが何回転旋回してもかまわないので復元機構が不要であるばかりでなく、常に風向に合わせ最も効率のよい向きで発電できるから発電効率も向上するという、すぐれた効果を奏する。
【発明を実施するための最良の形態】
【００１１】
本発明の風力発電装置の要部を図面により説明する。図１は実施例の固定台、旋回台付近を示す一部断面正面図、図２は同じく一部断面側面図で、21は羽根、22は増速機構、24は発電ユニット側配線、３は旋回台、31は旋回の軸受、32は旋回台から垂直方向に取り付けられた旋回軸、33はこの旋回軸32の表面の絶縁材に埋め込まれたスリップリング、４は旋回台３を支持する固定台、41は固定台４から前記のスリップリング33に向けて取り付けられたブラシ、42は主塔側の固定配線である。この配線を主塔１の製造段階で主塔１に固定する場合は、主塔１の分割位置に合わせてコネクタを挿入し、配線も分割しておくことが望ましい。
【００１２】
固定台４は主塔の頂部に設けられる。旋回台３は、この固定台４に対して垂直軸回りに旋回可能で、この実施例では軸受31で旋回台３から下方に向けて取り付けられた旋回軸32を回転支持している。発電ユニットは旋回台３に取り付けられる。
【００１３】
上記のように構成することにより、本発明において発電ユニットの向きにかかわりなく電力を正常に取り出すことができ、かつ発電ユニットが何回転旋回してもかまわないことはこれ以上説明を要しないであろう。なお、スリップリングとブラシによる電気回路の接続は巻き線形モータやロータリースイッチなどと同様のもので、スリップリングは銅系統の金属板、ブラシはカーボンなどが適当である。ブラシは消耗するから、点検により交換が必要である。
【００１４】
また、この実施例ではスリップリング33を備える旋回軸32を旋回台３に取り付け、ブラシ41は固定台４に設けているが、これらを逆にしてスリップリング33を固定台４に取り付け、ブラシ41を旋回台３に設けるようにしてもかまわない。
【図面の簡単な説明】
【００１５】
【図１】本発明実施例の要部を示す一部断面正面図である。
【図２】本発明実施例の要部を示す一部断面側面図である。
【図３】本発明に係わる風力発電装置の正面図である。
【図４】本発明に係わる風力発電装置の側面図である。
【符号の説明】
【００１６】
１    主塔
２    発電ユニット
３    旋回台
４    固定台
11    マンホール
12    梯子
21    羽根
22    増速機構
23    発電機
24    発電ユニット側配線
31    軸受
32    旋回軸
33    スリップリング
41    ブラシ
42    （主塔側の）固定配線
【図１】
2006104969.tif 000003
【図２】
2006104969.tif 000004
【図３】
2006104969.tif 000005
【図４】
2006104969.tif 000006
(57)【要約】【課題】棒に吸盤と軸を設けた吸着式つっかい棒を提供する。【解決手段】棒の両端に吸盤を設け、吸盤と吸盤の間に支点となる軸を設けた構造を特徴とする吸着式つっかい棒である。【選択図】図１
2006104921.tif 000002
【特許請求の範囲】
【請求項１】
棒の両端に吸盤を設け、吸盤と吸盤の間に支点となる軸を設けた構造を特徴とする吸着式つっかい棒。
【請求項２】
棒の両端に吸盤を設け、吸盤と吸盤の間に支点となる軸と吸盤をそれぞれ複数個設けた構造を特徴とする請求項１の吸着式つっかい棒。
【発明の詳細な説明】
【技術分野】
【０００１】  本発明は棒に吸盤と軸を設けた吸着式つっかい棒に関するものである。
【背景技術】
【０００２】  従来、扉を閉鎖する器具としてつっかい棒が存在していた。
【発明の開示】
【発明が解決しようとする課題】
【０００３】  従来のつっかい棒は棒自体を固定するために地面又は凹凸が必要であり、天井に設置された扉に於いては棒自体が固定できないため、つっかい棒で扉を閉鎖することが出来ず、天井に設置された扉から屋内へ進入する経路が遮断できないため防犯上問題があった。
本発明は、この問題点を解決するためになされたものである。
【課題を解決するための手段】
【０００４】  棒の両端に吸盤を設け、吸盤と吸盤の間に支点となる軸を設ける。以上を特徴とする吸着式つっかい棒である。
【発明の効果】
【０００５】  本吸着式つっかい棒は固定のための地面又は凹凸を必要としないため、天井に設置された扉に於いてもこれを閉鎖することが可能である。このため悪意のある者が天井裏を伝って天井に設けられた扉から屋内に進入しようとしても本吸着式つっかい棒によって扉が閉鎖されるため、屋内への進入は防止でき、防犯上きわめて安全である。
【発明を実施するための最良の形態】
【０００６】  以下、本発明の実施の形態を説明する。
（イ）棒（１）の両側に力点側吸盤（２）、作用点側吸盤（３）をそれぞれ設ける。
（ロ）力点側吸盤（２）、作用点側吸盤（３）の間に軸（４）を設ける。
以上のような構成で、これを使用する際は、力点側吸盤（２）が扉（５）に、作用点側吸盤（３）が壁（６）に、軸（４）が壁（６）の縁の位置になる様に吸着式つっかい棒（７）を吸着させる。すると軸（４）と力点側吸盤（２）と作用点側吸盤（３）の３点がそれぞれ、てこの原理でいう支点、力点、作用点として働くため、扉（５）を開けようとする力がてこの原理によって著しく減少され、扉（５）は開閉不能となり閉鎖される。
【実施例１】
【０００７】  図４の様に、棒（１′）に軸（４）と力点側吸盤（２）と作用点側吸盤（３）それぞれ２個を設けても良い。本構成の場合、左右どちらにも開閉可能な落とし蓋式扉（８）に於いて有効であり、落とし蓋式扉（８）を左右どちらの方向に開こうとしても、てこの原理によって扉を開けようとする力が著しく減少されるため、落とし蓋式扉（８）は開閉不能となり閉鎖される。
【図面の簡単な説明】
【０００８】
【図１】  本発明の斜視図
【図２】  本発明の分解斜視図
【図３】  本発明の使用状態を示す側面図
【図４】  本発明の他の実施例を示す斜視図
【図５】  本発明の他の実施例の使用状態を示す側面図
【符号の説明】
【０００９】１、１′  棒
２  力点側吸盤
３  作用点側吸盤
４  軸
５  扉
６  壁
７、７′  吸着式つっかい棒
８  落とし蓋式扉
【図１】
2006104921.tif 000003
【図２】
2006104921.tif 000004
【図３】
2006104921.tif 000005
【図４】
2006104921.tif 000006
【図５】
2006104921.tif 000007
(57)【要約】      （修正有）【課題】  家屋の窓に用いられている防虫網を、張り替える場合に発生する不必要な余剰部分を切り取る場合に用いる。専用の切断用具を提供しょうとするものである。【解決手段】  防虫網戸の枠９に系合させ枠の長手方向に沿って移動させて、防虫網の余剰部分を切断するすることが出来るように、防虫網戸枠９の複数面に系合するように形成された系合部材２を防虫網戸の枠９に押し当て、切断する防虫網の余剰部分の位置において、系合部材側の同位置に切断する防虫網を通せる必要最少の幅の切り込みを適当な長さに設け案内開口４として、両側より挟み込むように支持するものとして、その案内開口４の深部に刃物５を移動方向に対して傾斜させ設け切断部とした。又、切断部が拡大、縮小して調整可能に系合部材に対して分離するように独立して設けた。さらに、案内開口４は、挟み込むように支持する両側が上方に突出して形成されている。【選択図】  図１
2006104908.tif 000002
【特許請求の範囲】
【請求項１】
家屋の窓に用いられている防虫網戸の防虫網を張り替える場合に防虫網戸枠の長手方向に沿って発生する不必要な余剰部分を切断する専用の防虫網切断用具であって、防虫網戸の枠に系合させ枠の長手方向に沿って移動させて、防虫網の余剰部分を切断するすることが出来るように、防虫網戸の枠の複数面に系合するように形成された系合部材を防虫網戸の枠に押し当てるように系合させて、切断する防虫網の余剰部分の位置において、系合部材側の同位置に切断する防虫網を通せる必要最少の幅の切り込みを適当な長さ設け両側より防虫網を挟み込むように支持する案内開口を設けて、その案内開口の深部に刃物を移動方向、枠の長手方向に対して傾斜させ設けて、切断部としたことを特徴とする防虫網戸の防虫網切断用具。
【請求項２】
網戸の、様々な枠巾に対応するように、防虫網切断用具は、系合部材と切断部との一対から成り。切断部が拡大、縮小して調整可能に系合部材に対して分離するように独立して設けられた請求項１記載の防虫網戸の防虫網切断用具。
【請求項３】
案内開口は、挟み込むように支持する両側が上方に突出して形成されて、柔らかくてゆらゆらと安定しない防虫網を固定させるような機能を有する請求項１又は２記載の防虫網戸の防虫網切断用具。防虫網戸の防虫網切断用具。
【請求項４】
系合部材の形状は、水平に置かれた長方形の板材の一端側を下方に直角に折り曲げた形状に形成された請求項１・２又は３記載の防虫網戸の防虫網切断用具。
【発明の詳細な説明】
【技術分野】
【０００１】  本発明は、家屋の窓に用いられている防虫網戸の防虫網切断用具に関するものである。
【背景技術】
【０００２】  家屋の窓に用いられている防虫網が破損して張り替える場合に発生する不必要な余剰部分を切り取る場合に、柔らかくゆらゆらと安定しない防虫網の余剰部分は手で引っ張るようにしなくては切り辛く、もう一方の手でカッターナイフ等を用いて切断するのだが、専用の切り取り用具がなく、素人には、奇麗に切りづらく安全上にも問題がある。
【発明の開示】
【発明が解決しょうとする課題】
【０００３】  そのことから、誰が使用しても奇麗に、しかも片手でも安全に作業を行なえる専用の切断用具を開発しょうとするものである。
【発明を解決するための手段】
【０００４】  防虫網戸の枠に系合させて枠の長手方向に沿って移動させて、防虫網の余剰部分を切断するすることが出来るように、防虫網戸の枠の複数面に系合するように形成された系合部材を防虫網戸の枠に押し当てるように系合させて、切断する防虫網の余剰部分の位置において、系合部材側の同位置に切断する防虫網を通せる必要最少の幅の切り込みを適当な長さに設け案内開口として、両側より挟み込むように支持するものとして、その案内開口の深部に刃物を移動方向、枠の長手方向に対して傾斜させて設けて切断部とした。
【０００５】  網戸の、様々な枠巾に対応するように、防虫網切断用具は、系合部材と切断部との一対から成り。切断部が拡大、縮小して調整可能に系合部材に対して分離するように独立して設けるようにすることも出来る。
【０００６】  案内開口は、挟み込むように支持する両側が上方に突出して形成されて、柔らかくてゆらゆらと安定しない防虫網を固定させるような機能を有する。
【０００７】  系合部材の形状は、水平に置かれた長方形の板材の一端側を下方に直角に折り曲げた形状に形成されている。
【発明の効果】
【０００８】  本発明によれば、誰が使用しても奇麗に、安全に片手でも作業を行なえる専用の切断用具である。又、刃物位置が調整出来ることにより、枠巾の違う様々なメーカーの製品に対応することが出来る。
【発明を実施するための最良の形態】
【０００９】  以下、この発明の実施の形態を図面を参照して説明する。  図１に示すように、系合部材２は、防虫網戸の枠に系合させて枠の長手方向に沿って移動させて、防虫網の余剰部分を切断するすることが出来るように、防虫網戸枠の切断する面と、戸当り（木口）面の二面において系合するように、水平に置かれた長方形の板材の一端側を下方に直角に折り曲げた形状に形成されて、その系合部材２の上面側中央部の、長手方向に長穴３を設けて、【００１０】  切断部の設置方法は、切断部材１１として長方形の板を水平に設けて、その長手方向の一端側の中間部に、防虫網を通せる必要最少幅、防虫網を成す一本の線径以上の幅で切り込みを設けて、防虫網の案内開口４として、その案内開口４の深部に刃物５を移動方向、枠の長手方向に対して傾斜させ設けて切断部６として、さらに、切断部材１１の中央部の適当な位置にボルト７を設けて、【００１１】  そのボルト７を、系合部材２に設けた長穴３に、下から挿入して蝶型ナット８で必要な位置において固定することが出来るようにした。  又、案内開口４は、切断する防虫網を、挟み込むように支持する両側が上方に突出して形成されて、柔らかくて、ゆらゆらと安定しない防虫網１０を固定させる機能を有して、奇麗に、しかも早く切断することが出来るようにした。【００１２】  刃物５の、切断部材１１への設置においては、切断部材１１の下面と刃物５の下面がツラ面になるように、切断部材１１の下面に刃物５形状を型どった彫り込みを刃物５の厚み分ほど設けて、その部分に設置した。そのようにすることで、切断した防虫網が網戸枠より突出することがないようにした。
【図面の簡単な説明】
【００１３】
【図１】は、本発明の実施の形態を示す斜視図である。
【図２】は、網戸枠に新しく防虫網を貼り替え終えて、発生した余剰部分の防虫網を本発明の防虫網切断用具にて切断する形態を示したものである。
【符号の説明】
【００１４】  １．防虫網切断用具  ２．防虫網戸枠に系合する系合部材  ３．系合部材に設けた切断位置調整用の長穴  ４．防虫網を刃物へと案内する案内開口  ５．刃物  ６．切断部  ７．ボルト  ８．蝶型ナット  ９．防虫網戸枠  １０．貼り替え終えて発生した切断する余剰防虫網  １１．切断部材  １２．切断部材の移動用ガイドレール  １２．移動用ガイドレールを系合する長穴
【図１】
2006104908.tif 000003
【図２】
2006104908.tif 000004
(57)【要約】      （修正有）【課題】大地震などで建物や家具が倒れ大きな被害が出るのを防ぐこと。【解決手段】横揺れ縦揺れ風対策特にすり鉢状の受け皿方式は、アンカーの役目の部品がない。そこで部品１〜３を組み合わせることで、アンカーの役割をする。そして風による揺れは、部品１と部品２で防ぐ、よって全て解決した。【選択図】図４
2006104907.tif 000002
【特許請求の範囲】
【請求項１】
単球式転がり支承に減衰装置。
地震による縦揺れ横揺れ、台風などの強風による横揺れ横倒れ、これらの問題をひとつの装置にまとめた免震減衰防風支承。
【発明の詳細な説明】
【技術分野】
【０００１】  本発明は地震よる建築物の揺れをやわらげる基礎工法である。
【背景技術】
【０００２】  従来から地面と基礎は一体で、大地震のたびに被害がでている。
【発明の開示】
【発明が解決しようとする課題】
【０００３】  従来地震の揺れが地盤基礎から建物へ直接伝わるため、被害が大でした。
という不都合を解決することを目的とする。
【課題を解決するための手段】
【０００４】  この課題を解決するための請求項１の発明は、地盤ベースとスラブの間に鉄球とゴムをいれ、横揺れや縦揺れをやわらげる。部品１と部品３でアンカーの役目をする。【０００５】  免震装置はベースの箱の底の中心部が緩い円錐状になっているから、常に中心部に鉄球が復元しようとする。鉄球の上部の箱も円錐状になっているので、中心部に復元しようとする。なお鉄球の上部の箱の上にゴムの入る箱をとめる。
ゴムの上から箱をかぶせる。それをスラブの鉄骨と固定する。【０００６】  地震の横揺れの対策として、部品１と部品２の間に鉄球が入っている。部品２と鉄球の間に隙間があり、１〜２センチ以上のずれで鉄球が作動し、地震に対応する。部品１の底の部分がすり鉢状になっており、４度の勾配が付いている。部品２の受け皿部分にも、４度の勾配が付いている。部品１と部品２の勾配を足すと、８度の勾配となる。建物の重量を部品２にのせて、鉄球が８度の勾配を、前後左右にゆれることによって、地震の横揺れを和らげる。【０００７】  地震の縦揺れ対策として、部品２と部品３の間に生ゴムが入っている。部品３が上下に動くことで生ゴムが吸収して揺れをやわらげる。生ゴムを入れることで、部品の衝撃をやわらげる。【０００８】    風の対策として、部品１と部品２との間には鉄球が入っていて、中心部では部品２と鉄球には隙間がある。地盤の横揺れで１ないし２センチ以上動く以外では、鉄球が作動しない。部品１と部品２は、鉄球が動かない限りついている。風が吹いても建物の重量と、部品１と部品２の接点の摩擦によって、動きにくくしている。
【産業上の利用可能性】
【０００９】  本発明による免震装置は工業的に量産することが可能であるため産業上の利用可能性を有する。
【図面の簡単な説明】
【００１０】
【図１】  部品１の平面図と断面図。
【００１１】
【図２】  部品２の平面図と断面図。
【００１２】
【図３】  部品３の平面図と断面図。
【００１３】
【図４】  部品１〜３を組み合わせた免震装置の断面図。
【図１】
2006104907.tif 000003
【図２】
2006104907.tif 000004
【図３】
2006104907.tif 000005
【図４】
2006104907.tif 000006
(57)【要約】【課題】  ドアー錠に於いてサムターン錠装置は使用が簡単で安価である事が長所であるが、短所としては防犯性があまり好くない事が上げられる。例えばサムターン錠を扉や窓などに取り付けた場合、ガラスを割る或いはドアー本体に手が入るような穴が作られれば、サムターン（レバー或いはツマミ）を外側から手を入れて回動することができ、簡単に開錠する事ができる。これは外側からの施錠の良し悪しに関わらず、簡単に不都合な開錠が行われることであり、防犯的に好ましくない状況といえる。【解決手段】  本発明は上記の欠陥を解決する為に、屋内側からはサムターン（レバー或いはツマミ）により、屋外からは鍵による施錠又は開錠する構造のサムターン錠装置からサムターン（レバー或いはツマミ）を無くすことにより解決した。  室内側からの施錠及び開錠は屋外側と同様に鍵による施錠及び開錠を行うようにした。つまり屋内側、屋外側共鍵よる施錠及び開錠を行うことで解決した。【選択図】  図１
2006104910.tif 000002
【特許請求の範囲】
【請求項１】
ドアー錠において屋内側にサムターン（レバー或いはツマミ）を装備しない錠装置であり、屋内側、或いは屋外側からの施錠及び開錠は両方共鍵を使用する
【請求項２】
本錠装置に使用する鍵は、屋外側から施錠及び開錠する鍵を屋内側からの施錠及び開錠にも使用する共通の鍵にする。
【請求項３】
上記のほか、屋外側からの施錠及び開錠と室内側からの施錠及び開錠に使用する鍵を各々別の鍵にする事も含む。
【請求項４】
ドアー錠装置において、その形状及び構造にかかわらず、室内側、室外側両方から鍵を挿入し施錠及び開錠ができる構造もの。
【発明の詳細な説明】
【技術分野】
【０００１】  本発明は、ドアー錠に於いて、屋内側からの施錠或いは開錠する為のサムターン（レバー或いはツマミ）を無くした錠に関するものである。
【背景の技術】
【０００２】  サムターン錠は簡易な錠として各種の形式が多く利用されている事は公知であり、各種住宅の防犯強化用錠として広く使用されている。
それらの錠は、屋外側からは鍵により施錠或いは開錠するが、屋内側からはサムターン（レバー或いはツマミ）を回動させる事によって簡単に施錠或いは開錠が出来るのが一般的である。
【発明の開示】
【発明が解決しようとする課題】
【０００３】  サムターン錠装置は使用が簡単で安価である事が長所であるが、短所としては防犯性があまり好くない事が指摘されている。例えばサムターン錠を扉や窓などに取り付けた場合、ガラスを割る或いはドアー本体に手が入るような穴が作られれば、サムターン（レバー或いはツマミ）を外側から手を入れて回動することができ、簡単に開錠する事ができる。これは外側からの施錠の良し悪しに関わらず、簡単に不都合な開錠が行われることであり、防犯的に好ましくない状況といえる。
【課題を解決するための手段】
【０００４】  本発明は上記の欠陥を解決する為に、屋内側からはサムターン（レバー或いはツマミ）により屋外からは鍵による施錠又は開錠する構造のサムターン錠装置からサムターン（レバー或いはツマミ）を無くすことにより解決した。【０００５】  サムターン（レバー或いはツマミ）を無くし、室内側からの施錠及び開錠は屋外側と同様に鍵による施錠及び開錠を行う様にした。【０００６】  屋内側の鍵は屋外側の鍵を使用するか又は別の専用の鍵を使用する様にしてもよい、しかし同じ鍵を利用した方が便利な場合もある。
【発明の効果】
【０００７】  上記のように本発明のサムターン無しの錠は室外側からあらゆる手段により手を室内に入れたとしても、室内側から開錠することは大変困難な構造になり防犯性が格段に向上する。【０００８】  また、この発明は既存の大多数の錠の技術が簡単に利用でき、安価でより防犯性の良い錠が提供でき殆どの建物用錠に利用可能である。
【発明の実施するための最良の形態】
【０００９】  以下本発明の実施の形態を図１〜図４に基づいて説明します。尚この図は一例を表したもので、他の色々な型式の場合も同様である。
【００１０】  図１及び図２は平面図であり、図１の１は屋外側の鍵穴、２は屋内側の鍵穴で、３は鍵である。
【００１１】  外出時は通常の施錠と同様に、図１の１に鍵３を挿入回動し施錠する、その後鍵を抜いて携行する。この状態では室内側にはサムターン（レバー或いはツマミ）は無い状態になっている。
【００１２】  帰宅時は外出時と同様に、図１の１に鍵３を挿入回動し開錠する。その後鍵を抜いて入室、次いで図２の２に同じ鍵を挿入回動し施錠する。入室後は鍵を抜くか又は挿入した状態にしてもよい。
【００１２】  以上の様にこの発明は外出時には屋内側にサムターン（レバー或いはツマミ）が無い状態になっており防犯性が優れている事が解る。
【図面の簡単な説明】
【００１３】
【図１】本発明の実施形態を示す平面図で屋外側からの利用を表す図
【図２】平面図で屋内側から利用を表す図
【図３】屋外側立面図
【図４】屋内側立面図
【符号の説明】
【００１４】  １    屋外側の鍵穴
２    屋内側の鍵穴
３    鍵
【図１】
2006104910.tif 000003
【図２】
2006104910.tif 000004
【図３】
2006104910.tif 000005
【図４】
2006104910.tif 000006
(57)【要約】【課題】従来の開きドアは、床との隙間が少ないために  ドアの開閉時に脱いだスリッパが手前に開いたドアに当たるので、スリッパをドアの開口半径外に脱ぐ必要があり不便だった。【解決手段】ドアの開閉時に、ドアの下部がスリッパをクリア−するように上下にスライドするしくみを設けた開きドアである。【選択図】図１
2006104901.tif 000002
【特許請求の範囲】
【請求項１】
開きドアの開閉時に脱いだスリッパが当たらないようにドアの下部が上下にスライドすることを特徴とするドア。
【請求項２】
【発明の詳細な説明】
【技術分野】
【０００１】  この発明は、ドアの形状及び動作に関する。
【背景技術】
【０００２】  従来の開きドアは、床との隙間が少ないため  ドアの開閉時に脱いだスリッパが手前に開いたドアに当たる。また、廊下から便所に高低差がとれない（バリアフリ−床）時など、スリッパをドアの開口半径外に脱いで便所のスリッパに履き替えるまで１、２歩素足で歩く必要があった。
【発明の開示】
【発明が解決しようとする課題】
【０００３】しかしながら、以上の技術によれば、開きドアの開閉時に、スリッパが手前に開いたドアに当たるため  ドアの開口半径外にスリッパを脱ぐ必要があった。
そこで、この発明は、開きドアの開閉時に、スリッパが手前に開いたドアに当たることをクリア−して、ドアのすぐ手前でスリッパを脱ぐことができるドアを提供することを課題とする。
【課題を解決するための手段】
【０００４】  以上の課題を解決するために、第一発明は、ドアの開閉時に、ドアの下部が上下にスライドすることを特徴とする開きドアである。
【発明の効果】
【０００５】  第一発明によれば、開きドア下部が上下にスライドするようにしたので、ドアの開閉時に脱いだスリッパにドアが当たることがなく、ドアのすぐ手前でスリッパを脱ぐことができる。
【発明を実施するための最良の形態】
【０００６】  この発明の一実施形態を、図１に示す。
開きドア本体▲１▼・下部スライド部分▲３▼とも、突き板、シ−ト貼り等、仕上げ材の限定はなく、本体の下部に空間▲２▼を作り、ガイドレ−ル等で下部スライド部分▲３▼を上下する仕組みが設けられている。【０００７】「実施形態の効果」
この実施形態によれば、ドアを開いた時、下部スライド部▲３▼が本体の空間▲２▼にスライドすることにより、ドアのすぐ手前でスリッパを脱いだ時にドアとスリッパが当たらない。従ってスリッパの脱ぐ位置に気を使う必要がない。【０００８】「他の実施形態」
【図面の簡単な説明】
【０００９】
【図１】この発明の一実施形態を示す姿図・断面図である。
【図２】従来技術を示す姿図・断面図である。
【符号の説明】
【００１０】      ▲１▼  ドア本体
▲２▼  空間部
▲３▼  スライド部
【図１】
2006104901.tif 000003
【図２】
2006104901.tif 000004
(57)【要約】      （修正有）【課題】低コストで工期の短い強固な基礎工事を提供する。【解決手段】  住宅建築の基礎工事において、布基礎部分に従来の鉄筋コンクリートに替え工場生産されたＨ鋼材１（鋼材布基礎）を使用し、独立基礎２（耐圧盤）と緊結することにより低コスト、短工期で強固な基礎工事が可能となる。【選択図】  図１
2006104909.tif 000002
【特許請求の範囲】
【請求項１】
住宅建築の基礎工事において、布基礎部分に従来の鉄筋コンクリートに替えＨ型鋼材を用い、独立した耐圧盤と緊結する工法である。
【発明の詳細な説明】
【発明の詳細な説明】
【技術分野】
【０００１】  本発明は、住宅建築の基礎工事において鉄筋コンクリート布基礎の替わりにＨ鋼材を使用する工法である。
【背景技術】
【０００２】  これまで住宅基礎工事の工法としては▲１▼布基礎、▲２▼ベタ基礎一体布基礎が一般的であった。
【発明の開示】
【発明が解決しようとする課題】
【０００３】  従来の工法は、▲１▼及び▲２▼とも伐根量、搬出残土量が多く重機を必要とし、さらに使用コンクリート、型枠、鉄筋量が多く物的、人的コストが高くなる傾向にあった。さらに、従来の工法は不同沈下が生じる可能性があり、生じた場合根本的な対応策が無い等の問題点がある。
【課題を解決するための手段】  本工法は、従来鉄筋コンクリートを用いていた布基礎部分にＨ鋼材（以下鋼製布基礎と呼ぶ）を使用し、独立基礎（耐圧盤）に各々緊結するものである。
【発明の効果】  本工法は、鋼製布基礎が工場生産可能なため、基礎工事の熟練工の必要が無く施工精度の向上が期待され、また、鋼製布基礎を独立基礎（耐圧盤）と緊結するためコンクリートの使用量が大幅に削減され、さらに工期が大幅に短縮されること等が期待される。結果として基礎工事における人的、物的コストが大幅に削減されることになる。さらに、万一不同沈下が生じた場合でも鋼製布基礎が架台の役割を担うことで有圧昇降機による嵩上げ工事が可能となる。
【発明を実施するため最良の形態】
【０００４】  以下、本工法の実施の形態について説明する。
（イ）従来の鉄筋コンクリート布基礎に替え鋼製布基礎を使用する。
（ロ）独立基礎（耐圧盤）と緊結する。
【図面の簡単な説明】
【図１】  本発明の平面図である。
【図２】  本発明の断面図である。
【符号の説明】
（１）Ｈ鋼材
（２）独立基礎
（３）鉄筋
（４）地盤
【図１】
2006104909.tif 000003
【図２】
2006104909.tif 000004
(57)【要約】【課題】従来のメ−タ−ボックス状は、上下に貫通する縦配管スペ−スを併設しているため住戸プランニングの自由度は低く住戸の有効率にも影響があった。【解決手段】縦配管の無いメ−タ−ボックスを住戸の共用廊下側の外壁面下部に設ける。【選択図】図２
2006104905.tif 000002
【特許請求の範囲】
【請求項１】
水道給水管・ガス管・電気配管の建物内を上下に貫通する縦管を共用部に一元化し、各階の住戸までは各階下の天井裏に横引き配管にて供給し、この横引き配管から引き込み配管にてメ−タ−ボックスに接続し、そしてメ−タ−ボックスから住戸に配管することにより、メ−タ−ボックス内の縦配管を無くしたことを、  特徴とするメ−タ−ボックス。
【請求項２】
前記メ−タ−ボックスは、各住戸の共用廊下側の外壁面下部に設置することにより住戸プランの自由度を拡大でき、住戸の有効率が高められることを特徴とする請求項１記載のメ−タ−ボックス。
【発明の詳細な説明】
【技術分野】
【０００１】  この発明は、共同住宅・戸建て住宅のメ−タ−ボックスに関する。
【背景技術】
【０００２】  従来のメ−タ−ボックスの形状は、図３・図４に示すように、上下に貫通する縦配管スペ−スを併設し、住戸共用廊下側壁面のメ−タ−ボックス設置部分には戸の窓などの  口部が設けられない。
【発明の開示】
【発明が解決しようとする課題】
【０００３】  しかしながら、以上の技術によれば、縦配管があることによって住戸の共用廊下側壁面の開口が制限され、またメ−タ−ボックスの位置は上下階で同じ位置に固定されてしまうため、住戸プランニングの自由度は低く住戸の有効率にも影響があった。  そこで、この発明は、住戸のプランニングの自由度を拡大し、住戸の有効率を高められるメ−タ−ボックスの提供をすることを課題とする。
【課題を解決するための手段】
【０００４】  以上の課題を解決するために、第一発明は、共用のメイン縦配管を設け、下階の共用廊下天井裏に各階共用の横引き配管を設けることによってメ−タ−ボックス内に縦配管を無くしたことを特徴とするメ−タ−ボックスである。
また、第二発明は、メ−タ−ボックスを住戸の共用廊下側の外壁面下部に設置することにより、住戸のプランニングの自由度を拡大し住戸の有効率を高めることを特徴とするメ−タ−ボックスである。
【発明の効果】
【０００５】  第一発明、または第二発明によれば、縦配管の無いメ−タ−ボックスを住戸の共用廊下側の外壁面下部に設けたので、住戸プランニングの自由度が拡大し、住戸の有効率が高められる。
【発明を実施するための最良の形態】
【０００６】  この発明の一実施形態を、図１・図２に示す。
メ−タ−ボックス（符号３）は各住戸の共用廊下（符号１）側居室（符号２）の出窓（符号１０）下に設置され、水道・ガス・電気の１次側引込み配管類（符号８）は共用部に設置された共用縦配管類（図１の符号６）と各階下の共用廊下の天井裏（符号５）に敷設された共用横引き配管類（符号７）を介して接続される。また各住戸内の２次側配管類（符号９）は各住戸の床上に敷設されている。【０００７】「実施形態の効果」
この実施形態によれば、メ−タ−ボックス（符号３）への１次側供給は各階下の共用廊下の天井裏（符号５）から行われ、各住戸内部への２次側供給は床上配管にて行われるためメ−タ−ボックス内を上下に貫通する共用縦配管類（図２の符号６）を無くすことが出来る。またメ−タ−ボックスを住戸の共用廊下側外壁の腰壁部分に設置することで、メ−タ−ボックス（符号３）の上部は開口が可能となる。したがって、メ−タ−ボックス（符号３）の位置は上下階の同じ位置にあることを必要とせず、住戸プランの自由度は拡大し、住戸の有効率は高められる。【０００８】「他の実施形態」
図１・図２の実施形態では、メ−タ−ボックス（符号３）は出窓（符号１０）下に設置しているが、他の実施形態では、玄関の下足入れ等の下部に設置したものでも良い。
【図面の簡単な説明】
【０００９】
【図１】この発明の一実施形態を示す平面図である。
【図２】この発明の一実施形態を示す断面図である。
【図３】従来技術を示す平面図である。
【図４】従来技術を示す断面図である。
【符号の説明】
【００１０】１：共用廊下    ２：住戸の居室    ３：メ−タ−ボックス
４：メ−タ−類    ５：共用廊下の天井裏    ６：共用縦配管類
７：共用横引配管類    ８：１次側引込み配管類
９：２次側配管類    １０：出窓
【図１】
2006104905.tif 000003
【図２】
2006104905.tif 000004
【図３】
2006104905.tif 000005
【図４】
2006104905.tif 000006
(57)【要約】【課題】  従来の伐採材による木質ブロック舗装では伐採材や流木をなどの素材の確保に運搬や貯蔵などの費用や空間の確保が必要であり、また樹脂含浸などを行うために設備や費用が必要でコストが嵩むなどの問題がある。【解決手段】  伐採材を現場で加工して現場の地面被覆や道路舖装材として使用するので、材料費や運搬費や加工工場設備や保管貯蔵場所などの費用が不要である。  また樹木の幹を輪切りに加工するのこぎりと、細枝などをチップ加工する裁断機は、ともに汎用の可般式機械の使用が可能であり、他に特殊な機械を用いることなく現場での加工が容易である。さらには現場での伐採で発生する樹木の殆どの部分が地面の被覆や路面舗装に用いられるので、伐採により生じる廃材が少なく焼却処理などの手間や費用が低減される。以上を総合して、簡易かつ低コストの地面被覆や道路舗装が実現される。【選択図】    図１
2006104906.tif 000002
【特許請求の範囲】
【請求項１】
伐採現場で発生する伐採樹木を素材とし、伐採現場または舗装現場において樹木を輪切り状にして略円盤状の木質タイルとし、同じく伐採樹木の枝や幹を細かく裁断した木材チップと樹脂とを混練したものを充填材とし、前記タイルを地面または路面に敷き詰め、タイルとタイルの間隙に前記充填材を充填することを特徴とする、伐採材による木質ブロック舗装方法。
【発明の詳細な説明】
【技術分野】
【０００１】  本発明は木質ブロックによる路面舗装に関するものである。
【背景技術】
【０００２】
【特許文献１】  特開２０００−０５０７４５号公報
【特許文献２】  特開２００４−１７４９８６号公報
【発明の開示】
【発明が解決しようとする課題】
【０００３】森林などの樹木を伐採した伐採材や流木などの未利用材を用いた路面舗装に関する提案は、特許文献１では間伐材の幹を輪切りにしたものを地面の被覆材とする例や、特許文献２では樹木を幹を輪切りにしたものに樹脂含浸を施し、強度や耐候性や外観などを改善し、路面舗装材として用いる例などがある。
しかるに、特許文献１およびの特許文献２の内容では伐採材や流木をなどの素材の確保に運搬や貯蔵などの費用や空間の確保が必要であり、また特許文献２の内容では樹脂含浸の設備や費用が必要でコストが嵩むなどの問題がある。
【課題を解決するための手段】
【０００４】上記課題を解決するために、本発明の提案は公園や広場の造成にあたり伐採した樹木を、造成現場で比較的太い幹部分を輪切りに細い幹や枝はチップに加工し、輪切りにした幹部分は木質タイルとして地面や路面に敷き詰め、チップは輪切り状木質タイルの間隙を埋める充填材として用いるものである。
【発明の効果】
【０００５】伐採材を現場で加工して現場の地面被覆や道路舗装材として使用するので、材料費や運搬費や加工工場設備や保管貯蔵場所などの費用が不要である。  また樹木の幹を輪切りに加工するのこぎりと、細枝などをチップ加工する裁断機は、ともに汎用の可般式機械の使用が可能であり、他に特殊な機械を用いることなく現場での加工が容易である。  さらには現場での伐採で発生する樹木の殆どの部分が地面の被覆や路面舗装に用いられるので、伐採により生じる廃材が少なく焼却処理などの手間や費用が低減される。
以上を総合して、簡易かつ低コストの地面被覆や道路舗装が実現される。
【実施例】
【０００６】以下、図面によりこの発明の実施例を説明する。
図１は本発明による木質タイルによる路面舗装方法の行程説明図である。  図２は本発明の舗装方法による舗装面の平面図、図３は本発明の舗装方法による舗装面の断面図である。すなわち幹部分が比較的太い伐採樹木の枝を除去し、幹部分を適度の厚さで輪切りにして略円盤状の木質タイル１を得る、一方、樹木の枝部分や幹部分が比較的細い別の伐採樹木の枝部や幹部を裁断機でチップ状に加工し固着性樹脂を適宜加えて混練し充填材２を得る、他方で被舗装面４の上に透水性下地として砂や砂利などからなる平坦な下地層３を準備しておき、その上に前記木質タイル１を敷き詰める、この場合木質タイルは隣接するタイルの外周が相互に接するように配置することにより敷き詰め後のタイルのずれが抑制される。次に敷き詰めた木質タイルの間にできた間隙に前期木材チップと樹脂とを混練してなる充填材２を充填した後に、例えばローラー掛けなどの手段を用いて平坦化を施し舗装面を完成する。
【図面の簡単な説明】
【０００８】
【図１】本発明の実施例による路面舗装の行程説明図
【図２】本発明の実施例による舗装路面の平面図、
【図３】本発明の実施例による舗装路面の垂直方向の断面図
【符号の説明】
【０００９】１  木質タイル
２  充填材
３  下地層
４  被舗装面
【図１】
2006104906.tif 000003
【図２】
2006104906.tif 000004
【図３】
2006104906.tif 000005
(57)【要約】      （修正有）【課題】防火貯水槽のマンホールの蓋と枠を一体化することにより地震発生時の揺れで防火貯水槽のマンホールの蓋が飛散したり持ち上がったりする等の事故を防止する。【解決手段】一人で軽く開閉やロックができるようにし、地震や火災でもケガや物損事故などの二次災害を防止する構造と機能を持たせる。【選択図】図３
2006104903.tif 000002
【特許請求の範囲】
【請求項１】
蓋と枠の部分を一体化する事で飛散したり、持ち上がりやズレたりしたことから起きる二次災害を防止する。従来の蓋は重いため２〜３人がかりで開閉していた作業を１人で軽く開閉やロックができること及び寒冷地における冬期間のマンホール蓋の凍結を防止することを特徴とする防火貯水槽のマンホールの蓋と枠。
【発明の詳細な説明】
【技術分野】
【０００１】  本発明は、全国各地で従来使用されている防火貯水槽のマンホールの蓋、枠に関する。
【背景技術】
【０００２】  従来の防火貯水槽のマンホールの蓋は、蓋自体の重さでロックの役目を持たせていました、また、大きな地震やそれによって発生する揺れや水圧によって蓋が飛散したり持ち上がり等の対策は施されてはいませんでした。火災発生時には蓋が重いため２〜３人がかりで開閉している状態で急いで開けようとして手や足等に落としてケガなどの二次災害が起きています、蓋の開口時には付近に置き放しの状態で危険であるという課題があり、寒冷地においては冬期間蓋の凍結により迅速な蓋の開閉が困難なこともありました。
【発明の開示】
【発明が解決しようとする課題】
【０００３】  このような従来の防火貯水槽の蓋は蓋の重さだけで目的が達成されていて寒冷地における蓋の凍結という点には、配慮がなされていないという課題があった。
【課題を解決するための手段】
【０００４】  本発明は、かかる従来の課題に鑑みてなされたものであり、マンホールの蓋と枠を一体化する事やロック機能やスプリングバネで軽く開閉できる機能を併わせ持つようにし、かつ電熱線乃至サーモスタット装置を有する電熱線を蓋乃至枠に装着して上記課題を解決することを目的としている。
上記目的を達成するために、本発明におけるマンホールの蓋は、蓋と枠を一体にする事で蓋が飛散したり持ち上がる事故が無いようにする。そのためロックする部分の強度を高め、蓋の開閉はコイルスプリングバネを利用して軽く開閉できるようにする、開閉した蓋は、アームロックを使用し固定する。夜間の開口時は反射板等で各方向から見えることを特徴としている。
【発明の効果】
【０００５】  地震発生時の揺れによる防火貯水槽の水揺れ圧力によって防火貯水槽マンホールの蓋が飛散したり持ち上がった等によってケガなどの人災事故や物損事故が全国各地で多発しました。また、火災発生時に各地で従来から使用している防火貯水槽のマンホールの蓋が重すぎるため手や足に落としたケガ等の二次災害が多発しています。事故防止のための安全性や女性消防士の方々女性消防団の方々にも安全でまた軽く開閉しやすく地震発生時に蓋が飛散したり持ち上がったりしないように完全にロックができるように改良しています。全国的に発生が予想されている大地震や大火災等に対して二次災害防止のための最優先事項の安全を確保する事が目的です。
【発明を実施するための最良の形態】
【０００６】  次に、本発明の実施例について図面を参照して説明する。
図１乃至図４は、本発明の一実施例を示す図である。
まず、構成を説明すると図１はマンホールの外蓋であり外蓋には開閉用の取手兼用のロック部分がある、また、夜間用の反射板が取り付けてある。【０００７】  次に、図２はマンホールの内蓋である、内蓋にはロック部分と安全のための反射板、軽く持ち上げるためのスプリングバネと蓋を開口したときの支えとなるアームロックで構成される。【０００８】  次に、本実施例の作用について説明する。
図３は、蓋が開口したときの状態を示す。蓋の外、内、側面に反射板や反射テープが取り付けてあり各方向からの安全度を高める、アームロックで蓋を固定した状態である。【０００９】  図４は、マンホールの蓋を閉めた状態である。
【図面の簡単な説明】
【００１０】
【図１】  本発明のマンホール蓋の外側である。
【図２】  本発明のマンホール蓋の内側である。
【図３】  本発明のマンホール蓋の開口時の図である。
【図４】  本発明のマンホール蓋の閉口時の図である。
【符号の説明】
【００１１】          １    使用自治体マーク
２    反射板
３    アームロック
４    コイルスプリングバネ
【図１】
2006104903.tif 000003
【図２】
2006104903.tif 000004
【図３】
2006104903.tif 000005
【図４】
2006104903.tif 000006